(57)【要約】【課題】放電灯の点灯状態を調整する点灯調整部に外部操作部に代えて放電灯選択装置からの選択指示を受け付ける構成とし、かつソフトウエアで放電灯の選択を実行させることで、回路構成を複雑化することなく複数の負荷種類の放電灯に適合したスイッチング周波数を設定可能にする。【解決手段】放電灯ＦＬの負荷種類を選択するスイッチＳＷ０〜ＳＷ４と、放電灯の負荷種類を報知する表示素子Ｌａ０〜Ｌａ４と、スイッチからの選択内容に応じた選択信号を生成すると共に表示素子への報知信号を生成する選択制御手段２１１とを有する。スイッチを経て選択制御手段２１１で生成された選択信号は調光信号入力回路２０を経てマイクロコンピュータ１２へ送られる。一方、マイクロコンピュータ１２は、選択された放電灯の負荷種類に対応する選択確認信号を生成し、この信号は、調光信号入力回路２０を経てマイクロコンピュータ２１１に送られる。【選択図】図３
2010040359.tif 000002
【特許請求の範囲】
【請求項１】
放電灯の負荷の種類に対応するスイッチング周波数を設定する情報を予め記憶する記憶部及び選択された放電灯の負荷の種類に対応するスイッチング周波数の設定情報からスイッチング周波数設定用信号を生成するスイッチング周波数設定用信号生成部を有する制御手段と、スイッチング周波数設定用信号生成部で生成されたスイッチング周波数設定用信号に基づいて対応するスイッチング周波数でスイッチング動作を行い、負荷側の共振回路を介して放電灯に点灯用電力の供給を行うインバータ回路と、外部操作部からの点灯状態に関連する操作指示を受け付ける入力部を備え、受け付けた操作指示から指示信号を作成して前記制御手段に出力して点灯状態を変更する点灯調整部とを有し、かつ、前記点灯調整部が、前記入力部から前記制御手段への信号入力経路と前記制御手段から前記入力部への信号出力経路とを備え、前記制御手段が、選択された放電灯の負荷種類に対応する選択確認信号を生成し、前記点灯調整部の信号出力経路に出力する構成を有する放電灯点灯装置における前記点灯調整部の入力部に接続可能に構成され、前記スイッチング周波数を選択する放電灯選択装置であって、
放電灯の負荷種類を選択的に指示する操作部と、
放電灯の負荷種類を識別可能に報知する報知部と、
前記操作部からの選択内容に応じた選択信号を生成すると共に、前記報知部への報知信号を生成する選択制御手段と、
前記選択制御手段で生成された選択信号を前記点灯調整部の入力部へ出力する出力経路と前記点灯調整部の入力部から入力される信号であって前記報知信号を生成する前記選択確認信号を前記選択制御手段へ入力する入力経路とを備えたことを特徴とする放電灯選択装置。
【請求項２】
放電灯の負荷の種類に対応するスイッチング周波数を設定する情報を予め記憶する記憶部及び請求項１記載の放電灯選択部によって選択された放電灯の負荷の種類に対応するスイッチング周波数の設定情報からスイッチング周波数設定用信号を生成するスイッチング周波数設定用信号生成部を有する制御手段と、スイッチング周波数設定用信号生成部で生成されたスイッチング周波数設定用信号に基づいて対応するスイッチング周波数でスイッチング動作を行い、負荷側の共振回路を介して放電灯に点灯用電力の供給を行うインバータ回路と、外部操作部からの点灯状態に関連する操作指示を受け付ける入力部を備え、受け付けた操作指示から指示信号を作成して前記制御手段に出力して点灯状態を変更する点灯調整部とを備えた放電灯点灯装置であって、
前記点灯調整部は、前記入力部から前記制御手段への信号入力経路と前記制御手段から前記入力部への信号出力経路とを備え、
前記制御手段は、選択された放電灯の負荷種類に対応する選択確認信号を生成し、前記点灯調整部の信号出力経路に出力する選択確認信号生成部を備え、請求項１記載の放電灯選択部との間で前記選択信号及び選択確認信号の授受を行うように構成されていることを特徴とする放電灯点灯装置。
【請求項３】
前記点灯調整部は、前記外部操作部からの操作指示を受け付けて前記放電灯の光出力を変更する調光部であることを特徴とする請求項２記載の放電灯点灯装置。
【発明の詳細な説明】
【技術分野】
【０００１】
本発明は、インバータ装置を備えた放電灯点灯装置に係り、特に負荷の異なる放電灯と放電灯点灯装置との、供給、施工者によるセッティングが可能な放電灯選択装置及び放電灯点灯装置に関する。
【背景技術】
【０００２】
放電灯の点灯回路としてインバータ方式を採用した放電灯点灯装置が一般的である。インバータ方式は、所定の周波数を有するスイッチング信号をインバータ回路に供給して直流電力を所定の周波数に変換すると共に、放電灯が接続された負荷側の共振回路に供給し、共振信号で点灯させるようにしたものである。放電灯はその負荷に応じたスイッチング周波数あるいは共振周波数で電力供給を受けることで効率よく点灯することが知られている。従って、放電灯の負荷に応じて放電灯点灯装置を準備すればよい。しかし、放電灯の負荷の種類毎に放電灯点灯装置を準備することは、装置の種類が増大し、管理の煩雑性や在庫量の増大を招き、好ましくない。
【０００３】
一方、放電灯の種類に応じて、スイッチング周波数あるいは共振周波数を切り換えるスイッチを付設した放電灯点灯装置が知られている。また、放電灯の電気的特性を測定して自動的に放電灯の負荷を識別し、切換スイッチを自動的に切り換える放電灯点灯装置も知られている。
【０００４】
このような放電灯と放電灯点灯装置とのセッティング方法として、特許文献１〜３が提案されている。特許文献１には、蛍光灯の負荷の種類に応じて共振回路のチョークコイルのインダクタンスを物理的に可変する回路構成を設けたものが提案されている。特許文献２には、接続の予定された点灯インピーダンスの異なる複数タイプの蛍光ランプの各々を接続したときの給電回路の所定部位間に生じる電圧によって、インバータの発振周波数を必要に応じて再設定するようにした周波数切替え回路が提案されている。特許文献３には、放電灯の予熱・始動後のランプ電圧が所定レベルに達するまでの時間から、複数種のランプにそれぞれ最適出力を与えるようにインバータ回路のスイッチング素子を駆動する駆動周波数を切り換える手段を備えたものが提案されている。
【特許文献１】特開平６−２０８８９６号公報
【特許文献２】特開平１０−２８９７９２号公報
【特許文献３】特開２００４−８７３２８号公報
【発明の開示】
【発明が解決しようとする課題】
【０００５】
しかしながら、機械的なスイッチを備えた場合、回路構成が複雑となり、またスイッチの切り換え操作を忘れたり誤ったりすると適切な点灯制御が行われないこととなる。また、物理的にインダクタンス値を可変する構成も簡易ではない。さらに、放電灯の電気的特性を計測して自動的に切り換える方式では、放電灯の温度特性等を考慮すると、識別が容易でない放電灯もあり、必ずしも正しいセッティングが行われるという保証がない。
【０００６】
本発明は上記に鑑みてなされたもので、放電灯の点灯状態を調整する点灯調整部に外部操作部に代えて放電灯選択装置からの選択指示を受け付ける構成とし、かつソフトウエアで放電灯の選択を実行させることで、回路構成を複雑化することなく複数の負荷種類の放電灯に適合したスイッチング周波数を設定可能にした放電灯点灯装置及び選択指示を行う側の放電灯選択装置を提供するものである。
【課題を解決するための手段】
【０００７】
請求項１記載の発明は、放電灯の負荷の種類に対応するスイッチング周波数を設定する情報を予め記憶する記憶部及び選択された放電灯の負荷の種類に対応するスイッチング周波数の設定情報からスイッチング周波数設定用信号を生成するスイッチング周波数設定用信号生成部を有する制御手段と、スイッチング周波数設定用信号生成部で生成されたスイッチング周波数設定用信号に基づいて対応するスイッチング周波数でスイッチング動作を行い、負荷側の共振回路を介して放電灯に点灯用電力の供給を行うインバータ回路と、外部操作部からの点灯状態に関連する操作指示を受け付ける入力部を備え、受け付けた操作指示から指示信号を作成して前記制御手段に出力して点灯状態を変更する点灯調整部とを有し、かつ、前記点灯調整部が、前記入力部から前記制御手段への信号入力経路と前記制御手段から前記入力部への信号出力経路とを備え、前記制御手段が、選択された放電灯の負荷種類に対応する選択確認信号を生成し、前記点灯調整部の信号出力経路に出力する構成を有する放電灯点灯装置における前記点灯調整部の入力部に接続可能に構成され、前記スイッチング周波数を選択する放電灯選択装置であって、放電灯の負荷種類を選択的に指示する操作部と、放電灯の負荷種類を識別可能に報知する報知部と、前記操作部からの選択内容に応じた選択信号を生成すると共に、前記報知部への報知信号を生成する選択制御手段と、前記選択制御手段で生成された選択信号を前記点灯調整部の入力部へ出力する出力経路と前記点灯調整部の入力部から入力される信号であって前記報知信号を生成する前記選択確認信号を前記選択制御手段へ入力する入力経路とを備えたことを特徴とするものである。
【０００８】
請求項２記載の発明によれば、放電灯の負荷の種類に対応するスイッチング周波数を設定する情報を予め記憶する記憶部及び請求項１記載の放電灯選択部によって選択された放電灯の負荷の種類に対応するスイッチング周波数の設定情報からスイッチング周波数設定用信号を生成するスイッチング周波数設定用信号生成部を有する制御手段と、スイッチング周波数設定用信号生成部で生成されたスイッチング周波数設定用信号に基づいて対応するスイッチング周波数でスイッチング動作を行い、負荷側の共振回路を介して放電灯に点灯用電力の供給を行うインバータ回路と、外部操作部からの点灯状態に関連する操作指示を受け付ける入力部を備え、受け付けた操作指示から指示信号を作成して前記制御手段に出力して点灯状態を変更する点灯調整部とを備えた放電灯点灯装置であって、前記点灯調整部は、前記入力部から前記制御手段への信号入力経路と前記制御手段から前記入力部への信号出力経路とを備え、前記制御手段は、選択された放電灯の負荷種類に対応する選択確認信号を生成し、前記点灯調整部の信号出力経路に出力する選択確認信号生成部を備え、請求項１記載の放電灯選択部との間で前記選択信号及び選択確認信号の授受を行うように構成されていることを特徴とするものである。
【０００９】
これらの発明によれば、放電灯の負荷の種類に対応するスイッチング周波数を設定する情報が予め制御手段の記憶部に記憶されており、選択された放電灯の負荷の種類に対応するスイッチング周波数の設定情報から、制御手段のスイッチング周波数設定用信号生成部によって、記憶部の記憶内容が読み出されてスイッチング周波数設定用信号が生成される。インバータ回路によって、スイッチング周波数設定用信号生成部で生成されたスイッチング周波数設定用信号に基づいて対応するスイッチング周波数でスイッチング動作が行われ、負荷側の共振回路を介して放電灯に点灯用電力の供給が行われる。一方、点灯調整部によって、外部操作部からの点灯状態に関連する操作指示が入力部を経て受け付けられ、受け付けた操作指示から指示信号が作成されて前記制御手段に出力されることで、点灯状態の変更が行われるようになっている。かつ、選択された放電灯の負荷種類に対応する選択確認信号が制御手段で生成されて、前記点灯調整部の信号出力経路に出力されるようになっている。また、放電灯選択装置は、放電灯点灯装置における点灯調整部の入力部に接続可能に構成されており、スイッチング周波数の選択を行う。放電灯選択装置の操作部によって、放電灯の負荷種類が選択的に指示され、選択制御手段によって、操作部からの選択内容に応じた選択信号が生成されて、点灯調整部の入力部へ出力される。これにより、放電灯点灯装置の制御手段及びインバータ回路は放電灯の負荷種別に適合したスイッチング周波数で駆動される。また、制御手段によって、選択された放電灯の負荷種類に対応する選択確認信号が生成され、点灯調整部を経て、選択制御手段で報知信号が生成され、報知部に報知が行われる。
【００１０】
従って、放電灯の点灯状態を調整する点灯調整部に、外部操作部に代えて放電灯選択装置からの選択指示を受け付ける構成とすれば、ソフトウエアで放電灯の選択が実行可能となって、回路構成を複雑化することなく複数の負荷種類の放電灯に適合したスイッチング周波数を設定可能となる。
【００１１】
請求項３記載の発明によれば、請求項２記載の放電灯点灯装置において、前記点灯調整部は、前記外部操作部からの操作指示を受け付けて前記放電灯の光出力を変更する調光部であることを特徴とする。この発明によれば、既存の調光部の一部改良で放電灯選択装置によりスイッチング周波数の設定が可能となる。
【発明の効果】
【００１２】
請求項１、２記載の発明によれば、放電灯の点灯状態を調整する点灯調整部に、外部操作部に代えて放電灯選択装置からの選択指示を受け付ける構成とすれば、ソフトウエアで放電灯の選択が実行可能となって、回路構成を複雑化することなく複数の負荷種類の放電灯に適合したスイッチング周波数を設定可能となる。従って、インバータ回路や共振回路という既存の装置がそのまま適用でき、コスト面、構成面で有利となる。
【００１３】
請求項３記載の発明によれば、既存の調光部の一部改良で放電灯選択装置によりスイッチング周波数の設定が可能となる。
【発明を実施するための最良の形態】
【００１４】
図１は、本発明に係る放電灯点灯装置の一実施形態を示す全体ブロック図である。放電灯点灯装置１は、本実施形態においては商用交流電源ＡＣがコンセントなどを介して接続されることによって駆動される。ダイオードブリッジＤＢは、商用交流電源ＡＣを全波整流するものである。ダイオードブリッジＤＢの出力側には、昇圧チョッパ回路１０が接続されている。昇圧チョッパ回路１０は、チョークコイルＬｃ、スイッチング素子Ｑ０１、整流ダイオードＤ０１及び平滑コンデンサＣ０１からなり、平滑コンデンサＣ０１の一端に所定電圧、ここでは３６０Ｖを生成するものである。スイッチング素子駆動回路１１はスイッチング素子Ｑ０１のベースに接続され、スイッチング素子Ｑ０１の駆動を制御するものある。
【００１５】
マイクロコンピュータ１２は、各回路部に対して信号の入出力を行うものである。マイクロコンピュータ１２は、例えばスイッチング素子駆動回路１１へ制御信号を出力し、平滑コンデンサＣ０１が所定電圧に充電されるようにスイッチング素子Ｑ０１をオン、オフ駆動させる。また、マイクロコンピュータ１２はＲＯＭ１２０、ＲＡＭ（メモリ１２１）を備え、ＲＯＭ１２０には各種動作プログラムや、放電灯ＦＬの負荷種類に適合したスイッチング周波数を設定するための情報が書き込まれており、ＲＡＭの一部である所定のメモリ部１２１には、後述するランプ選択装置２１からの選択操作に従って選択された放電灯ＦＬの負荷種別情報が書き込まれるようになっている。なお、この放電灯ＦＬの負荷種別情報は、電源を切っても内容が保持される不揮発性メモリ、例えばフラッシュメモリに書き込まれ、次回電源投入時には、このフラッシュメモリに書き込まれている負荷種別情報が読み出されて、発振動作が行われるようになっている。
【００１６】
交流入力検出回路１３は、商用交流電源ＡＣラインと接地との間に接続され、商用交流電源ＡＣの接続状態を検出し、検出結果をマイクロコンピュータ１２に出力する。チョークコイル出力検出回路１４は、チョークコイルＬｃの二次側に接続され、ダイオードブリッジＤＢからチョークコイルＬｃへ電力が供給されているか否かを検出するもので、検出結果をマイクロコンピュータ１２に出力する。制御回路用電源回路１５は、昇圧チョッパ回路１０で生成される電圧を用いて、マイクロコンピュータ１２や後述するハーフブリッジ駆動回路１６、寿命末期検出回路１８等の電源電圧（１４Ｖおよび５Ｖ）を生成するものである。
【００１７】
ハーフブリッジ駆動回路１６は、マイクロコンピュータ１２からの制御信号、すなわちマイクロコンピュータ１２のメモリ部１２１から読み出されたランプ選択情報に基づいて、例えば以下のようにして設定される周波数で交互にハイ、ローとなる駆動パルスをインバータ回路１７に出力するものである。ハーフブリッジ駆動回路１６は、例えば以下の回路構成で駆動パルスの周波数を調整可能にしている。すなわち、一定電流が流入する積分回路と積分回路の充電電圧が参照レベルに達すると、放電（すなわち再充電の開始）及びスイッチングして前記駆動パルスを出力する回路とを有する。さらに、前記参照レベルがマイクロコンピュータ１２からの制御信号に応じて変更可能な構成とされており、これによって駆動パルスの周波数が変更設定可能にされている。あるいは、基準周波数、例えば２０ＭＨｚの発振回路と分周比が変更可能にされた分周回路とを備え、マイクロコンピュータ１２からの制御信号に応じて分周比を変更することで、出力パルス、すなわち駆動パルスの周波数が変更可能にされる態様としてもよい。
【００１８】
インバータ回路１７は、直列接続されたスイッチング素子Ｑ０２，Ｑ０３と、その出力（負荷）側に共振回路を構成するための誘導リアクトルＬ０１、コンデンサＣ０２，Ｃ０３を備えている。スイッチング素子Ｑ０２，Ｑ０３は、ハーフブリッジ駆動回路１６からの交互にハイ、ローとなる駆動パルスが入力されることで、スイッチング動作を行う。共振回路のコンデンサＣ０３には、並列に放電灯ＦＬが着脱可能に接続されている。なお、コンデンサＣ０２は直流カット用である。スイッチング素子Ｑ０２，Ｑ０３は、ハーフブリッジ駆動回路１６からの互いに逆位相の駆動パルスが入力されることで交互にオン、オフを繰り返す。従って、放電灯ＦＬは、スイッチング素子Ｑ０２，Ｑ０３のオン、オフ動作及び共振動作により、所定電源（本実施例では３６０Ｖ）からの電力が高周波電力に変換されて供給され、両フィラメントが予熱された後、始動して点灯する。なお、ハーフブリッジ駆動回路１６とインバータ回路１７とを合わせてインバータ回路と見なしてもよい。
【００１９】
寿命末期検出回路１８は、放電灯ＦＬの両端に接続されたもので、検出した電圧をマイクロコンピュータ１２に出力する。マイクロコンピュータ１２は、寿命末期検出回路１８からの検出電圧に基づいて放電灯ＦＬの寿命末期の判定及び制御を行うものである。電源電圧検出回路１９は、昇圧チョッパ回路１０で生成される電圧のレベルを検出するものである。マイクロコンピュータ１２は、電源電圧検出回路１９の検出結果に基づき、昇圧チョッパ回路１０で生成された電圧のレベルが安定するようにスイッチング素子駆動回路１１を介してスイッチング素子Ｑ０１のオンオフのタイミングを制御する。
【００２０】
調光信号入力回路２０は、外部操作部（調光コントローラ２０１、図２参照）から操作指示信号の入力があると、入力された指示信号に応じた調光指示信号をマイクロコンピュータ１２に出力するものである。マイクロコンピュータ１２は、調光信号入力回路２０からの調光指示信号に応じて放電灯ＦＬの調光制御を行う。
【００２１】
図２は、図１の放電灯点灯装置に対してランプ選択装置１（放電灯選択装置）が接続可能にされた概略構成図を示す。ランプ選択装置２１は、放電灯ＦＬの負荷の種類に適合した放電灯点灯装置１を形成させるためのものである。切換リレー２２は、調光信号入力回路２０に対する、調光コントローラ２０１とランプ選択装置２１との接続を切り換えるものである。放電灯点灯装置１の組み立て行程においては、放電灯点灯装置１と放電灯ＦＬの負荷種別とを適合させるセッティングが行われる。ランプ選択装置２１はこのセッティングを行うための治具である。セッティング作業は、切換リレー２２をランプ選択装置２１側に切り換えた状態で行われる。切換リレー２２のランプ選択装置２１側への切り換えは、マニュアル操作であってもよいし、ランプ選択装置２１を切換リレー２２の図略のコネクタに接続することで自動的に切り換わるようにしてもよい。あるいは、調光コントローラ２０１と差し替え可能に接続する構成でもよい。この場合、切換リレー２２は不要となる。
【００２２】
図３は、調光信号入力回路２０及びランプ選択装置２１の回路構成の一例を示す回路図である。調光信号入力回路２０は、元々の回路構成に、ランプ選択装置２１に対応するべく、回路の一部が変更されている。なお、図では切換リレー２２は省略されている。
【００２３】
調光信号入力回路２０は、入力側（端子Ｐｉ１、Ｐｉ２）の２本の信号線間に抵抗Ｒ１を介して、ダイオードＤ１〜Ｄ４からなるダイオードブリッジが設けられ、その出力側に分圧抵抗Ｒ８，Ｒ９、及びフォトカプラＰＣ２のフォトトランジスタからなる直列回路が接続されている。更に、この直列回路に、分圧抵抗Ｒ７，Ｒ２、及びフォトカプラＰＣ１の発光ダイオードからなる直列回路が並列接続されている。また、抵抗Ｒ７には、並列にトランジスタＱ４のエミッタ、コレクタが接続され、ベースが分圧抵抗Ｒ８，Ｒ９の接続点に接続されている。
【００２４】
一方、絶縁型の出力側には、所定電源（ここでは、５Ｖ）に、フォトカプラＰＣ１のフォトトランジスタと分圧抵抗Ｒ３，Ｒ４とからなる直列回路が接続されている。また、この直列回路に、抵抗Ｒ５とトランジスタＱ１の直列回路が並列接続されている。トランジスタＱ１のベースは分圧抵抗Ｒ３，Ｒ４の接続点に接続されている。
【００２５】
トランジスタＱ１のコレクタには、抵抗Ｒ５、抵抗Ｒ６及びコンデンサＣ１からなる積分回路が接続され、抵抗Ｒ６とコンデンサＣ１の接続点はマイクロコンピュータ１２の端子ＡＤＩＮに接続されている。トランジスタＱ１はコンデンサＣ１の充電電荷を放電するものである。
【００２６】
また、フォトカプラＰＣ１のフォトトランジスのエミッタと接地間には分圧抵抗Ｒ１０，Ｒ１１が接続されている。さらに、前記所定電源と接地間には、抵抗Ｒ１２とトランジスタＱ２との直列回路が接続され、トランジスタＱ２のベースは分圧抵抗Ｒ１０，Ｒ１１の接続点に接続されている。そして、トランジスタＱ２のコレクタがマイクロコンピュータ１２の端子ｐｏｒｔＢに接続されている。
【００２７】
さらに、前記所定電源と接地間には、トランジスタＱ３、フォトカプラＰＣ２の発光ダイオード及び抵抗Ｒ１５の直列回路が接続されている。トランジスタＱ３には、コレクタ−ベース間に抵抗Ｒ１３が接続され、ベースは抵抗Ｒ１４を介してマイクロコンピュータ２０２の端子ｐｏｒｔＡに接続されている。
【００２８】
ここで、調光信号入力回路２０の動作の概要を説明する。まず、図２の調光コントローラ２０１から調光指示がなされた場合の動作を説明する。調光コントローラ２０１は、所定周波数、例えば１ＫＨｚのＰＷＭ（Pulse Width Modulation）パルス信号を調光信号入力回路２０に出力する。調光コントローラ２０１は、マニュアル操作状態に応じてオンデューティが変更されるＰＷＭパルス信号を生成する公知のものである。
【００２９】
例えば図４（ａ）に示すようなＰＷＭパルス信号が抵抗Ｒ１の両端に入力されると、そのハイレベル期間中、ダイオードブリッジＤ１〜Ｄ４を経て、フォトカプラＰＣ１の発光ダイオードに電流が流れて発光ダイオードが発光し、フォトカプラＰＣ１のフォトトランジスタに電流が流れる。フォトカプラＰＣ１のフォトトランジスタに電流が流れると、トランジスタＱ１が、その間、オンする。一方、コンデンサＣ１は所定電源から抵抗Ｒ５，Ｒ６を経て充電されており、トランジスタＱ１がオンする期間、充電電荷を放電する。従って、図４（ａ）の左と右の波形に示すように、オンデューティの最少調整値（例えば５％）のＰＷＭパルス信号のときは、放電量が少ないためコンデンサＣ１の充電電圧は高レベルに平滑保持され、図４（ｂ）に示すようにオンデューティの中間設定値（例えば５０％）のＰＷＭパルス信号のときは、放電量が中くらいのためコンデンサＣ１の充電電圧は中間レベルに平滑保持され、図４（ｃ）に示すようにオンデューティの最大設定値（例えば８５％）のＰＷＭパルス信号のときは、放電量が多いためコンデンサＣ１の充電電圧は低レベルに平滑保持される。この平滑された充電電圧は、端子ＡＤＩＮからマイクロコンピュータ１２に入力される。マイクロコンピュータ１２は、入力電圧に応じた調光処理、例えば公知のスイッチング周波数の微調整を行う等して調光を実行する。図４（ｄ）は調光信号入力回路２０への入力信号と端子ＡＤＩＮへの出力信号との関係を示す図である。図４（ｄ）に示すように、調光コントローラ２０１を操作することで調光信号（電圧レベル）を反比例的に変更することができる。
【００３０】
図５は、ランプ選択装置２１との間で入出力される信号の、調光信号入力回路２０の入力部と出力部における波形を示す図である。図５（ａ）は、調光信号入力回路２０の入力側Ｐｉ１，Ｐｉ２から出力側（マイクロコンピュータ１２の端子ｐｏｒｔＢ）へ入力される際の信号を示し、図５（ｂ）は、出力側（マイクロコンピュータ１２の端子ｐｏｒｔＡ）から入力側Ｐｉ１，Ｐｉ２へ送られる信号を示している。
【００３１】
ランプ選択回路２１から入力側Ｐｉ１，Ｐｉ２の抵抗Ｒ１の両端にパルス信号が入力されると、マイクロコンピュータ１２のＡＤＩＮ端子には、図３で説明したとおり、コンデンサＣ１の平滑電圧が出力される。一方、このパルス信号によって、そのハイレベル期間にフォトカプラＰＣ１のフォトトランジスタがオンし、さらにトランジスタＱ２がオンするようになされた信号入力経路を経ることで、マイクロコンピュータ１２の端子ｐｏｒｔＢにローレベルの信号が入力される。すなわち、図５（ａ）に示すように、マイクロコンピュータ１２の端子ｐｏｒｔＢには、入力側のパルス信号の位相が反転されたパルス信号が導かれ、これによって、入力側から信号入力経路を経てマイクロコンピュータ１２の端子ｐｏｒｔＢに信号を送ることができる。
【００３２】
また、図５（ｂ）に示すように、マイクロコンピュータ１２のｐｏｒｔＡからパルス信号が出力されると、そのローレベル期間にトランジスタＱ３がオンし、フォトカプラＰＣ２の発光ダイオードに電流が流れて発光し、フォトカプラＰＣ２のフォトトランジスタがオンする。フォトカプラＰＣ２のフォトトランジスタがオンすることで、トランジスタＱ４がオンして、分圧抵抗Ｒ７，Ｒ２のうちの抵抗Ｒ７が短絡されるようになされた信号出力経路を経ることで、後述するように、ランプ選択装置２１のオペアンプＯＰ１０１の非反転入力端子の入力電圧が抵抗Ｒ２と抵抗Ｒ１０３との分圧電圧となる。一方、マイクロコンピュータ１２のｐｏｒｔＡから出力されたパルス信号のハイレベル期間では、ランプ選択装置２１のオペアンプＯＰ１０１の非反転入力端子の入力電圧は、抵抗Ｒ７と抵抗Ｒ２の合計抵抗値と抵抗Ｒ１０３の抵抗値との分圧比となり、この結果、図５（ｂ）に示すようになる。すなわち、図５（ｂ）に示すように、調光信号入力回路２０の入力側Ｐｉ２には、マイクロコンピュータ１２のｐｏｒｔＡからのパルス信号が同相で導かれ、これによって、調光信号入力回路２０の出力側から信号出力経路を経て入力側にパルス信号を送ることができる。なお、図５（ａ）（ｂ）の説明におけるパルス信号は、後述する図８のような２値のデータ信号である。
【００３３】
続いて、図３及び図６のランプ選択装置２１について説明する。図６は、ランプ選択装置２１の筐体の正面図の一例を示したものである。図６において、筐体表面には、所定数、ここではＬＥＤからなる５個の表示素子Ｌａ０〜Ｌａ４と、外部操作可能な５個のスイッチＳＷ０〜ＳＷ４（例えば押し釦式スイッチ）が設けられている。また、各表示素子及び各スイッチに配置位置に対応させて内容を報知するための文字が表記されている。表示素子Ｌａ０は状態確認用であり、表示素子Ｌａ１〜Ｌａ４は選択内容の確認用である。スイッチＳＷ０はランプの選択状態を必要に応じて確認するためのものであり、スイッチＳＷ１〜ＳＷ４は選択用である。すなわち、本実施形態では、放電灯ＦＬの負荷の種類として４種類がセッティング可能にされている。以降においては、４種類の負荷種別のそれぞれについて、第１〜第４の負荷種別の放電灯、また“ランプ１”〜“ランプ４”と適宜表現する。なお、セッティング可能な放電灯の負荷の種類としては、４種類に限定されず、例えばＪＩＳ（日本工業規格）に定められている所要種類分の、あるいは任意の種類分の負荷の放電灯に対して適用可能とすることもできる。
【００３４】
図２に戻って、ランプ選択装置２１の動作について説明する。ランプ選択装置２１は、内部にマイクロコンピュータ２１１を備えている。マイクロコンピュータ２１１は入出力信号と表示素子Ｌａ０〜Ｌａ４、スイッチＳＷ０〜ＳＷ４との対応処理を行うためのものである。
【００３５】
図７は、ランプ選択装置２１のマイクロコンピュータ２１１と端子Ｐｏ１，Ｐｏ２との間における入出力信号を示している。図７（ａ）はマイクロコンピュータ２１１の端子ｐｏｒｔ０１及び端子Ｐ０１における各パルス信号を示し、図７（ｂ）は端子Ｐ０２及びマイクロコンピュータ２１１の端子ｐｏｒｔ０２における各パルス信号を示している。
【００３６】
マイクロコンピュータ２１１は、端子ｐｏｒｔ１０〜ｐｏｒｔ１４を有する。端子ｐｏｒｔ１０〜ｐｏｒｔ１４と所定電源（ここでは５Ｖ）との間には各表示素子Ｌａ０〜Ｌａ４が電流制限抵抗を介して接続されている。また、マイクロコンピュータ２１１は、端子ｐｏｒｔ２０〜ｐｏｒｔ２４を有する。所定電源（ここでは５Ｖ）と接地との間には各スイッチＳＷ０〜ＳＷ４が並列接続され、かつそれぞれのスイッチＳＷ０〜ＳＷ４には電流制限抵抗が介設されている。スイッチＳＷ０〜ＳＷ４と電流制限抵抗との接続点と端子ｐｏｒｔ２０〜ｐｏｒｔ２４とが対応して接続されている。
【００３７】
マイクロコンピュータ２１１の端子ｐｏｒｔ０１には分圧抵抗を介してトランジスタＱ１０２が接続され、そのコレクタに抵抗Ｒ１０１を介してトランジスタＱ１０１のベースが接続されている。トランジスタＱ１０１のエミッタは所定電源（ここでは１０Ｖ）に接続され、コレクタは端子Ｐ０１に接続されている。
【００３８】
かかる回路構成によれば、端子ｐｏｒｔ０１にパルス信号が出力されると、そのハイレベル期間ではトランジスタＱ１０２がオン、トランジスタＱ１０１がオンして、所定電源（１０Ｖ）が端子Ｐ０１から入力端子Ｐｉ１に出力される。一方、ローレベル期間ではトランジスタＱ１０２がオフ、トランジスタＱ１０１がオフになって、ローレベルが端子Ｐ０１に出力される。従って、図７（ａ）に示すように、端子ｐｏｒｔ０１からの出力パルス信号が同相で端子Ｐ０１に出力される。
【００３９】
また、マイクロコンピュータ２１１の端子ｐｏｒｔ０２と端子Ｐ０２間には増幅回路が介設されている。すなわち、オペアンプＯＰ１０１の非反転入力端子は端子Ｐ０２に接続されると共に抵抗Ｒ１０３を介して接地に接続されている。オペアンプＯＰ１０１の反転入力端子は所定電源（ここでは５Ｖ）を分圧して所定の閾値を設定するための分圧抵抗Ｒ１０４，Ｒ１０５の接続点に接続されている。オペアンプＯＰ１０１の出力端子はマイクロコンピュータ２１１の端子ｐｏｒｔ０２に接続されると共に抵抗Ｒ１０６を介して所定電源（ここでは５Ｖ）に接続されている。
【００４０】
かかる回路構成によれば、端子Ｐ０２にパルス信号が入力されると、そのハイレベル期間では、オペアンプＯＰ１０１からハイレベルが出力され、このハイレベル出力が端子ｐｏｒｔ０２に入力される。一方、ローレベル期間では、オペアンプＯＰ１０１からローレベルが出力され、このローレベル出力が端子ｐｏｒｔ０２に入力される。なお、端子Ｐ０２にパルス信号が入力されるタイミングでは、端子ｐｏｒｔ０１がハイレベルに設定され、端子Ｐ０１に所定電源である１０Ｖを印加することで、調光信号入力回路２０の入力側に電源を付与している。かかる動作によって、図７（ｂ）に示すように、端子Ｐ０２からの入力パルスが同相で端子ｐｏｒｔ０２に入力される。
【００４１】
図８は、マイクロコンピュータ１２とマイクロコンピュータ２１１との間で授受されるデータを形成するパルス信号の信号フォーマットの一例を示している。データは、ハイ、ローの２値で形成されており、スタートビットＳＴ、データビットＤ０〜Ｄ７、パリティ付加ビットＰ及びストップビットＳＰからなる所定長を有するものである。
【００４２】
図９は、データの種類を示すものである。図９（ａ）に示すデータ０ｘ８０〜０ｘ５０はマイクロコンピュータ１２からマイクロコンピュータ２１１へ送信されるものであり、図９（ｂ）に示すデータ０ｘａ０〜０ｘｃ０はマイクロコンピュータ２１１からマイクロコンピュータ１２へ送信されるものである。
【００４３】
図１０〜図１２は、マイクロコンピュータ２１１の処理の流れを示すフローチャートである。本フローは、放電灯点灯装置１にランプ選択装置２１が接続され、あるいは切換リレー２２がランプ選択装置２１側に切り換えられることで開始される。
【００４４】
先ず、ｐｏｒｔ１０〜ｐｏｒｔ１４がハイレベルにされて表示素子Ｌａ０〜Ｌａ４が全て消灯状態とされ、かつ端子ｐｏｒｔ０１がハイレベルに設定される（ステップＳ１）。なお、端子ｐｏｒｔ０１をハイレベルに設定する理由は、調光信号入力回路２０の入力側に電源供給を行うことで、マイクロコンピュータ１２からの信号の受信を可能にするためである。この状態で、端子ｐｏｒｔ０２より、ランプ選択モードへの移行に関する信号を要求する要求信号０ｘ８０が入力されたか否かがマイクロコンピュータ２１１によって判断される（ステップＳ３）。要求信号０ｘ８０が入力されたのであれば（ステップＳ３で、“Ｔｒｕｅ”）、この要求信号０ｘ８０に応答するべく、端子ｐｏｒｔ０１に、ランプ選択モードに移行することを通知するランプ選択モード設定信号０ｘａ０が出力される（ステップＳ５）。ランプ選択モード設定信号０ｘａ０が出力されると、次の信号の受信を行うため、端子ｐｏｒｔ０１がハイレベルに設定される（ステップＳ７）。
【００４５】
次いで、端子ｐｏｒｔ０２より、マイクロコンピュータ１２がランプ選択モードの状態に移行したことを示すランプ選択モード確認信号０ｘ８１が入力されたか否かが、マイクロコンピュータ２１１によって判断される（ステップＳ９）。ランプ選択モード確認信号０ｘ８１が入力されたのであれば、端子ｐｏｒｔ１０にローレベルが出力されて、放電灯の選択操作のためのスイッチ操作が可能であることを報知するべく、表示素子Ｌａ０の点灯が行われる（ステップＳ１１）。
【００４６】
次いで、端子ｐｏｒｔ２１がローレベルに変化したか否か、すなわちスイッチＳＷ１がオンされたか否かが判断される（ステップＳ１３）。スイッチＳＷ１がオンされたのであれば、端子ｐｏｒｔ０１より、第１の負荷種別に該当する放電灯ＦＬを特定するランプ選択信号０ｘｃ１が出力される（ステップＳ１５）。なお、本実施形態では、放電灯ＦＬの負荷種類として、第１〜第４の負荷種別が選択対象とされているものとする。
【００４７】
一方、ステップＳ１３でスイッチＳＷ１がオンされたのでなければ、次に、端子ｐｏｒｔ２２がローレベルに変化したか否か、すなわちスイッチＳＷ２がオンされたか否かが判断される（ステップＳ１７）。スイッチＳＷ２がオンされたのであれば、端子ｐｏｒｔ０１より、第２の負荷種別に該当する放電灯ＦＬを特定するランプ選択信号０ｘｃ２が出力される（ステップＳ１９）。
【００４８】
一方、ステップＳ１７でスイッチＳＷ２がオンされたのでなければ、次に、端子ｐｏｒｔ２３がローレベルに変化したか否か、すなわちスイッチＳＷ３がオンされたか否かが判断される（ステップＳ２１）。スイッチＳＷ３がオンされたのであれば、端子ｐｏｒｔ０１より、第３の負荷種別に該当する放電灯ＦＬを特定するランプ選択信号０ｘｃ３が出力される（ステップＳ２３）。
【００４９】
一方、ステップＳ２１でスイッチＳＷ３がオンされたのでなければ、次に、端子ｐｏｒｔ２４がローレベルに変化したか否か、すなわちスイッチＳＷ４がオンされたか否かが判断される（ステップＳ２５）。スイッチＳＷ４がオンされたのであれば、端子ｐｏｒｔ０１より、第４の負荷種別に該当する放電灯ＦＬを特定するランプ選択信号０ｘｃ４が出力される（ステップＳ２７）。
【００５０】
なお、スイッチＳＷ１〜ＳＷ４に対する作業者による操作は、放電灯点灯装置１に取付け予定の放電灯ＦＬの負荷種別を視認して、該当するスイッチを押下することで行われる。したがって、放電灯点灯装置１とこれに接続される放電灯ＦＬとの適合性は、後述する一連の処理により確実なものとなる。
【００５１】
続いて、スイッチＳＷ１〜ＳＷ４のいずれもオンされたのでなければ、端子ｐｏｒｔ２０がローレベルに変化したか否か、すなわちスイッチＳＷ０がオンされたか否かが判断される（ステップＳ２９）。スイッチＳＷ０がオンされたのであれば、端子ｐｏｒｔ０１より、現在の選択されている放電灯の負荷の種別を返信する旨を要求するランプ種別返信要求信号０ｘｃ０が出力される（ステップＳ３１）。
【００５２】
そして、端子ｐｏｒｔ０１よりいずれかの信号が出力された場合には、次の信号を受信可能にするべく、端子ｐｏｒｔ０１がハイレベルに変更され（ステップＳ３３）、さらに表示素子Ｌａ１〜Ｌａ４を消灯するべく、端子ｐｏｒｔ１１〜１４にハイレベルが出力される（ステップＳ３５）。
【００５３】
続いて、あるいはステップＳ１３〜Ｓ２９のいずれにおいてもスイッチＳＷ０〜ＳＷ４がオンされなかった場合、端子ｐｏｒｔ０２より、放電灯ランプ種別確認信号の入力の有無の判断が行われる。
【００５４】
先ず、端子ｐｏｒｔ０２より、第１の負荷種別を特定する放電灯ランプ種別確認信号０ｘ５１が入力されたか否かが判断される（ステップＳ３７）。確認信号０ｘ５１が入力されたのであれば、端子ｐｏｒｔ１１がローレベルに変更されて（ステップＳ３９）、第１の負荷種別の放電灯が選択された旨が表示素子Ｌａ１を点灯させることで報知される。
【００５５】
一方、ステップＳ３７で放電灯ランプ種別確認信号０ｘ５１が入力されたのでなければ、端子ｐｏｒｔ０２より、第２の負荷種別を特定する放電灯ランプ種別確認信号０ｘ５２が入力されたか否かが判断される（ステップＳ４１）。確認信号０ｘ５２が入力されたのであれば、端子ｐｏｒｔ１２がローレベルに変更されて（ステップＳ４３）、第２の負荷種別の放電灯が選択された旨が表示素子Ｌａ２を点灯させることで報知される。
【００５６】
一方、ステップＳ４１で放電灯ランプ種別確認信号０ｘ５２が入力されたのでなければ、端子ｐｏｒｔ０２より、第３の負荷種別を特定する放電灯ランプ種別確認信号０ｘ５３が入力されたか否かが判断される（ステップＳ４５）。確認信号０ｘ５３が入力されたのであれば、端子ｐｏｒｔ１３がローレベルに変更されて（ステップＳ４７）、第３の負荷種別の放電灯が選択された旨が表示素子Ｌａ３を点灯させることで報知される。
【００５７】
一方、ステップＳ４５で放電灯ランプ種別確認信号０ｘ５３が入力されたのでなければ、端子ｐｏｒｔ０２より、第４の負荷種別を特定する放電灯ランプ種別確認信号０ｘ５４が入力されたか否かが判断される（ステップＳ４９）。確認信号０ｘ５４が入力されたのであれば、端子ｐｏｒｔ１４がローレベルに変更されて（ステップＳ５１）、第４の負荷種別の放電灯が選択された旨が表示素子Ｌａ４を点灯させることで報知される。
【００５８】
ステップＳ４９あるいはＳ５１が終了すると、フローは、ステップＳ１３に戻り、同様の処理が繰り返される。このようにして、放電灯点灯装置１に対して接続された放電灯の負荷種別に適合したスイッチング周波数の選択処理及び確認処理が行われることになる。
【００５９】
図１３〜図１４は、マイクロコンピュータ１２の処理の流れを示すフローチャートである。本フローチャートは、放電灯点灯装置１にランプ選択装置２１が接続され、あるいはリレー２２がランプ選択装置２１側に切り換えられることで開始される。
【００６０】
先ず、端子ｐｏｒｔＡにハイレベルが出力されて（ステップＳ１０１）、フォトカプラＰＣ２がオフにされる。次いで、マイクロコンピュータ１２に内蔵の、所定時間、ここでは１００ｍｓをカウントするタイマがクリアされる（ステップＳ１０３）。
【００６１】
続いて、端子ＡＤＩＮに、調光指示信号と区別するための該調光指示信号の設定範囲外の信号、例えばオンデューティが１００％の信号に対応する、例えば０．５Ｖ以下（図４（ｄ）参照）が入力されているか否かが判断される（ステップＳ１０５）。さらに、端子ｐｏｒｔＢがローレベルであるか否か、すなわちデータ入力がないか否かが判断される（ステップＳ１０７）。そして、レベル判定処理が１００ｍｓの間、行われ、ステップＳ１０５，Ｓ１０７のいずれか一方が否定された場合には、通常処理（ここでは調光処理）として扱われる（図１５参照）。
【００６２】
一方、１００ｍｓのレベル判定処理において、ステップＳ１０５，Ｓ１０７のいずれもが肯定されると、ランプ選択処理と判断される。すなわち、端子ｐｏｒｔＡに要求信号０ｘ８０が出力される（ステップＳ１１１）。要求信号０ｘ８０の出力が終了すると、ランプ選択モードへの移行が完了したとしてタイマがクリアされる（ステップＳ１１３）。
【００６３】
次いで、端子ｐｏｒｔＢより、ランプ選択モード設定信号０ｘａ０が入力されたか否かが、所定時間、ここでは１００ｍｓの間、判断される（ステップＳ１１５）。端子ｐｏｒｔＢより、ランプ選択モード設定信号０ｘａ０が入力されなければ、ステップＳ１０３に戻って、最初から行われる。一方、１００ｍｓの間に（ステップＳ１１７）、端子ｐｏｒｔＢより、ランプ選択モード設定信号０ｘａ０が入力されれば、端子ｐｏｒｔＡより、マイクロコンピュータ１２がランプ選択モードに移行した旨のランプ選択モード確認信号０ｘ８１が出力される（ステップＳ１１９）。
【００６４】
次いで、タイマがクリアされて（ステップＳ１２１）、端子ＡＤＩＮに０．５Ｖ以下の電圧が入力されたか否かの判断が行われる（ステップＳ１２３）。端子ＡＤＩＮに０．５Ｖ以下の電圧が入力されていれば、タイマがクリアされ（ステップＳ１２５）、他方、所定時間、ここでは１００ｍｓ経過しても（ステップＳ１２７で“Ｔｒｕｅ”）、端子ＡＤＩＮに０．５Ｖ以下の電圧が入力されなければ、通常処理として扱われる。これにより、ランプ選択装置２１が放電灯点灯装置１から外された場合、あるいはリレー２２が調光コントローラ２０１側に切り換えられた場合に、自動的に通常処理に移行するようにしている。
【００６５】
所定時間（１００ｍｓ）以内に、端子ＡＤＩＮに０．５Ｖ以下の電圧が入力されると、端子ｐｏｒｔＢより、第１の負荷種別を有する放電灯を特定するランプ選択信号０ｘｃ１が入力されたか否かが判断される（ステップＳ１２９）。端子ｐｏｒｔＢよりランプ選択信号０ｘｃ１が入力されたのであれば、マクロコンピュータ１２に接続された内部メモリ１２１に“ランプ１”の情報が書き込まれると共に、端子ｐｏｒｔＡより、第１の負荷種別を有する放電灯を特定するランプ種別確認信号０ｘ５１が出力される（ステップＳ１３１）。
【００６６】
一方、端子ｐｏｒｔＢよりランプ選択信号０ｘｃ１が入力されたのでなければ、端子ｐｏｒｔＢより第２の負荷種別を有する放電灯を特定するランプ選択信号０ｘｃ２が入力されたか否かが判断される（ステップＳ１３３）。端子ｐｏｒｔＢよりランプ選択信号０ｘｃ２が入力されたのであれば、マクロコンピュータ１２に接続された内部メモリ１２１に“ランプ２”の情報が書き込まれると共に、端子ｐｏｒｔＡより、第２の負荷種別を有する放電灯を特定するランプ種別確認信号０ｘ５２が出力される（ステップＳ１３５）。
【００６７】
一方、端子ｐｏｒｔＢよりランプ選択信号０ｘｃ２が入力されたのでなければ、端子ｐｏｒｔＢより第３の負荷種別を有する放電灯を特定するランプ選択信号０ｘｃ３が入力されたか否かが判断される（ステップＳ１３７）。端子ｐｏｒｔＢよりランプ選択信号０ｘｃ３が入力されたのであれば、マクロコンピュータ１２に接続された内部メモリ１２１に“ランプ３”の情報が書き込まれると共に、端子ｐｏｒｔＡより、第３の負荷種別を有する放電灯を特定するランプ種別確認信号０ｘ５３が出力される（ステップＳ１３９）。
【００６８】
一方、端子ｐｏｒｔＢよりランプ選択信号０ｘｃ３が入力されたのでなければ、端子ｐｏｒｔＢより第４の負荷種別を有する放電灯を特定するランプ選択信号０ｘｃ４が入力されたか否かが判断される（ステップＳ１４１）。端子ｐｏｒｔＢよりランプ選択信号０ｘｃ４が入力されたのであれば、マクロコンピュータ１２に接続された内部メモリ１２１に“ランプ４”の情報が書き込まれると共に、端子ｐｏｒｔＡより、第４の負荷種別を有する放電灯を特定するランプ種別確認信号０ｘ５４が出力される（ステップＳ１４３）。
【００６９】
次いで、端子ｐｏｒｔＢよりランプ選択信号０ｘｃ４が入力されたのでなければ、端子ｐｏｒｔＢよりランプ種別返信要求信号０ｘｃ０が入力されたか否かが判断される（ステップＳ１４５）。端子ｐｏｒｔＢよりランプ種別返信要求信号０ｘｃ０が入力されたのであれば、マクロコンピュータ１２に接続された内部メモリ１２１に記憶されている情報を読み出し、その情報が“ランプ１”であれば（ステップＳ１４７）、端子ｐｏｒｔＡより、“ランプ１”に相当するランプ種別確認信号０ｘ５１が出力される（ステップＳ１４９）。
【００７０】
一方、マクロコンピュータ１２に接続されたメモリ部１２１に記憶されている情報が“ランプ２”であれば（ステップＳ１５１）、端子ｐｏｒｔＡより、“ランプ２”に相当するランプ種別確認信号０ｘ５２が出力される（ステップＳ１５３）。
【００７１】
一方、マクロコンピュータ１２に接続されたメモリ部１２１に記憶されている情報が“ランプ３”であれば（ステップＳ１５５）、端子ｐｏｒｔＡより、“ランプ３”に相当するランプ種別確認信号０ｘ５３が出力される（ステップＳ１５７）。
【００７２】
一方、マクロコンピュータ１２に接続されたメモリ部１２１に記憶されている情報が“ランプ４”であれば（ステップＳ１５９）、端子ｐｏｒｔＡより、“ランプ４”に相当するランプ種別確認信号０ｘ５４が出力される（ステップＳ１６１）。
【００７３】
一方、メモリ部１２１に記憶されている情報が“ランプ１”〜“ランプ４”のいずれでもなければ、端子ｐｏｒｔＡより、ランプ種別確認信号０ｘ５０が出力される（ステップＳ１６３）。
【００７４】
図１５は、マイクロコンピュータ１２による「通常処理」の流れを示すフローチャートである。先ず、メモリ部１２１に記憶されている情報が“ランプ１”であれば（ステップＳ２０１）、第１の負荷種別に対応したプログラムが実行される（ステップＳ２０３）。すなわち、第１の負荷種別に対応した放電灯に適合する第１のスイッチング周波数で放電灯の点灯制御が行われる。例えば、放電灯の点灯動作が始動されると、メモリ部１２１から“ランプ１”の情報が読み出され、直流レベルに変換されてハーフブリッジ駆動回路１６の参照レベルが該“ランプ１”に対応したレベルに設定される。この結果、ハーフブリッジ駆動回路１６から出力される逆位相のスイッチング用のパルスの周波数が“ランプ１”に対応したものに設定される。
【００７５】
一方、内部メモリ１２１に記憶されている情報が“ランプ１”でなければ、メモリ部１２１に記憶されている情報が“ランプ２”か否かが判断され（ステップＳ２０５）、“ランプ２”であれば、第２の負荷種別に対応したプログラムが実行される（ステップＳ２０７）。すなわち、第２の負荷種別に対応した放電灯に適合する第２のスイッチング周波数で放電灯の点灯制御が行われる。
【００７６】
一方、内部メモリ１２１に記憶されている情報が“ランプ２”でなければ、メモリ部１２１に記憶されている情報が“ランプ３”か否かが判断され（ステップＳ２０９）、“ランプ３”であれば、第３の負荷種別に対応したプログラムが実行される（ステップＳ２１１）。すなわち、第３の負荷種別に対応した放電灯に適合する第３のスイッチング周波数で放電灯の点灯制御が行われる。
【００７７】
一方、内部メモリ１２１に記憶されている情報が“ランプ３”でなければ、メモリ部１２１に記憶されている情報が“ランプ４”か否かが判断され（ステップＳ２１３）、“ランプ４”であれば、第４の負荷種別に対応したプログラムが実行される（ステップＳ２１５）。すなわち、第４の負荷種別に対応した放電灯に適合する第４のスイッチング周波数で放電灯の点灯制御が行われる。
【００７８】
そして、内部メモリ１２１に記憶されている情報が“ランプ１”〜“ランプ４”のいずれでもなければ、ランプ未設定状態と判断して、動作が停止される（ステップＳ２１７）。
【００７９】
なお、本発明は、以下の態様が採用可能である。
【００８０】
（１）放電灯の点灯状態を調整する点灯調整部として、本実施形態では、調光信号入力回路２０を採用したが、これに代えて、点滅調整を行う調整回路であってもよい。
【００８１】
（２）本実施形態では、調光信号入力回路２０に調光コントローラ２０１を直接接続する態様であったが、調光コントローラ２０１が赤外線リモコン式のような近接通信可能な構成の場合には、ランプ選択装置も同様に近接通信可能な構成で信号の授受を行う方式とすることが可能である。
【００８２】
（３）本実施形態では、選択の確認として表示素子Ｌａ１〜Ｌａ４を採用したが、これに代えて、液晶画面に直接文字表示させる態様でもよく、またブザーを採用して識別可能に報知する報知手段を採用した態様でもよい。例えばブザーの場合、例えば、“ランプ１”が選択された場合にはブザーを１回鳴らし、“ランプ２”が選択された場合にはブザーを２回続けて鳴らし、“ランプ３”が選択された場合にはブザーを３回続けて鳴らし、“ランプ４”が選択された場合にはブザーを４回続けて鳴らす態様とすれば識別可能となる。スピーカを用いて音声で報知する態様でもよい。
【図面の簡単な説明】
【００８３】
【図１】本発明に係る放電灯点灯装置の一実施形態を示す全体ブロック図である。
【図２】図１の放電灯点灯装置に対してランプ選択装置が接続可能にされた状態を示す概略構成図である。
【図３】調光信号入力回路及びランプ選択装置の回路構成の一例を示す回路図である。
【図４】調光信号入力回路の入力信号であるＰＷＭパルス信号と出力信号である平滑電圧との関係を示す波形図で、図４（ａ）はオンデューティの最少調整値（例えば５％）の場合、図４（ｂ）はオンデューティが中間設定値の場合、図４（ｃ）はオンデューティが最大設定値の場合、図４（ｄ）は入力信号と出力信号との関係を示す図である。
【図５】ランプ選択装置との間で入出力される信号の、調光信号入力回路の入力部と出力部における波形図で、図５（ａ）は、調光信号入力回路から出力側へ入力される際の信号を示し、図５（ｂ）は出力側から入力側へ送られる信号を示す図である。
【図６】ランプ選択装置の筐体の一例を示す正面図である。
【図７】ランプ選択装置のマイクロコンピュータと端子Ｐｏ１，Ｐｏ２との間における入出力信号を示す波形図で、図７（ａ）はマイクロコンピュータの端子ｐｏｒｔ０１及び端子Ｐ０１における各パルス信号を示し、図７（ｂ）は端子Ｐ０２及びマイクロコンピュータの端子ｐｏｒｔ０２における各パルス信号を示す図である。
【図８】マイクロコンピュータとマイクロコンピュータとの間で授受されるデータを形成するパルス信号の信号フォーマットの一例を示構成図である。
【図９】データの種類を示す図で、図９（ａ）はマイクロコンピュータ１２からマイクロコンピュータ２１１へ送信されるものであり、図９（ｂ）はマイクロコンピュータ２１１からマイクロコンピュータ１２へ送信されるデータ種類を示す図である。
【図１０】マイクロコンピュータ２１１の処理の流れを示すフローチャートである。
【図１１】マイクロコンピュータ２１１の処理の流れを示すフローチャートである。
【図１２】マイクロコンピュータ２１１の処理の流れを示すフローチャートである。
【図１３】マイクロコンピュータ１２の処理の流れを示すフローチャートである。
【図１４】マイクロコンピュータ１２の処理の流れを示すフローチャートである。
【図１５】マイクロコンピュータ１２による通常処理の流れを示すフローチャートである。
【符号の説明】
【００８４】
１  放電灯点灯装置
１２  マイクロコンピュータ（制御手段）
１２０  ＲＯＭ
１２１  メモリ部
１６  ハーフブリッジ駆動回路
ＦＬ  放電灯
２０  調光信号入力回路（点灯調整部）
２１  ランプ選択装置（放電灯選択装置）
２１１  マイクロコンピュータ（選択制御手段）
Ｌａ０〜Ｌａ４  表示素子（報知部）
ＳＷ０〜ＳＷ４  スイッチ（外部操作部）
【図１】
2010040359.tif 000003
【図２】
2010040359.tif 000004
【図３】
2010040359.tif 000005
【図４】
2010040359.tif 000006
【図５】
2010040359.tif 000007
【図６】
2010040359.tif 000008
【図７】
2010040359.tif 000009
【図８】
2010040359.tif 000010
【図９】
2010040359.tif 000011
【図１０】
2010040359.tif 000012
【図１１】
2010040359.tif 000013
【図１２】
2010040359.tif 000014
【図１３】
2010040359.tif 000015
【図１４】
2010040359.tif 000016
【図１５】
2010040359.tif 000017